(57)【要約】    【課題】  該鉄筋を回避しつつ型枠の上まで降下させてコンクリートを確実にせき止めることができるコンクリート用せき止め治具を提供する。    【解決手段】  コンクリートをせき止めるための縦長の脚体を支持体に沿って並設してくし歯状に形成されるコンクリート用せき止め治具において、前記支持体は水平方向に並設される各々上下方向に延びる複数のガイド棒を支持フレームに固定して形成され、前記脚体の上部の外側に縦貫通孔を有する被ガイド体を設け、該被ガイド体の縦貫通孔を前記支持体のガイド体に挿通することによって前記脚体を上下に移動自在にしたことを特徴とする。  【選択図】    図１
2005048464.tif 000002
【特許請求の範囲】
【請求項１】
コンクリートをせき止めるための縦長の脚体を支持体に沿って並設してくし歯状に形成されるコンクリート用せき止め治具において、
前記支持体は水平方向に並設される各々上下方向に延びる複数のガイド棒を支持フレームに固定して形成され、
前記脚体の上部の外側に縦貫通孔を有する被ガイド体を設け、
該被ガイド体の縦貫通孔を前記支持体のガイド体に挿通することによって前記脚体を上下に移動自在にしたことを特徴とするコンクリート用せき止め治具。
【請求項２】
前記縦貫通孔を下方に向けて拡開した漏斗状に形成することにより、前記脚体を前後左右に揺動自在にしたことを特徴とする請求項１に記載のコンクリート用せき止め治具。
【請求項３】
前記支持体のガイド棒及び支持フレームを鉄棒で形成し、ガイド棒及び支持フレームを溶接で連結したことを特徴とする請求項１又は２に記載にコンクリート用せき止め治具。
【発明の詳細な説明】
【技術分野】
【０００１】
本発明は、コンクリート打設の際、流動するコンクリートを適宜位置でせき止めるためのコンクリート用せき止め具に関するものである。
【背景技術】
【０００２】
この種のせき止め治具は、支持体に沿って脚体を並設することにより全体としてくし歯状に形成されている。そして、型枠内に配筋された鉄筋の間にせき止め治具の脚体を挿入して型枠の上まで降ろしてコンクリートをせき止めることができ、例えば、床スラブ型枠に打設されるコンクリートの打継予定部に配設され、壁の建上がり部型枠に打設されるコンクリートが流出するのを防止するために該型枠の下方に配設されるものである。
【０００３】
ところで、スラブ型枠に配電用ボックス等のコンクリート埋設物が存在する場合には、せき止め治具の脚体が該コンクリート埋設物に乗り上げることによってスラブ型枠から大きく浮き上がり、コンクリートをせき止めることができないという問題があった。
【０００４】
そこで、コンクリート埋設物があっても、脚体をスラブ型枠上まで降ろすことができるコンクリート用せき止め具が提案されていた（例えば、特許文献１参照。）。
【０００５】
かかるせき止め治具は、支持枠に設けられた貫通孔に脚体を挿入して該脚体を上下動可能となるように構成され、配電用ボックス等のコンクリート埋設物の上に位置する脚体を該コンクリート埋設物の高さに合わせて上方に移動させることにより、他の脚体をスラブ型枠上に位置させてコンクリートの流出を防止できるようになっている。
【０００６】
しかし、コンクリートが付着した脚体が上方に移動したときには、コンクリート付着部分が支持枠の貫通孔を通過して該貫通孔の内部や周辺にコンクリートに付着することになるので、コンクリート用せき止め治具の維持管理が面倒になるという問題があった。
【０００７】
また、鉄筋の配筋間隔の変更などによって鉄筋の上まで脚体が移動したときには、移動した脚体とスラブ型枠との間に大きな隙間が形成され、コンクリートのせき止め機能が大幅に低下するという問題があった。
【特許文献１】実開平６―７４７４４号公報（全頁、全図）
【発明の開示】
【発明が解決しようとする課題】
【０００８】
本発明は、脚体が鉄筋の上に位置することになっても、該鉄筋を回避しつつ型枠の上まで降下させてコンクリートを確実にせき止めることができるコンクリート用せき止め治具を提供する。
【課題を解決するための手段】
【０００９】
本発明のコンクリート用せき止め治具は、コンクリートをせき止めるための縦長の脚体を支持体に沿って並設してくし歯状に形成されるコンクリート用せき止め治具において、前記支持体は水平方向に並設される各々上下方向に延びる複数のガイド棒を支持フレームに固定して形成され、前記脚体の上部の外側に縦貫通孔を有する被ガイド体を設け、該被ガイド体の縦貫通孔を前記支持体のガイド体に挿通することによって前記脚体を上下に移動自在にしたことを特徴とするものである。
【００１０】
また、前記縦貫通孔を下方に向けて拡開した漏斗状に形成することにより、前記脚体を前後左右に揺動自在とするのが望ましい。
【００１１】
また、前記支持体のガイド棒及び支持フレームを鉄棒で形成し、ガイド棒及び支持フレームを溶接で連結するのが望ましい。
【発明の効果】
【００１２】
本発明のコンクリートせき止め治具によれば、前記脚体の上部の外側に設けられた被ガイド体を支持体のガイド棒でガイドするので、脚体がガイド部分を通過することがなくなり、その結果、脚体に付着したコンクリートがガイド部分に付いて脚体の動きを低下させることがなくなり、維持管理が容易になる。
【００１３】
また、前記縦貫通孔を下方に向けて拡開した漏斗状に形成することにより、前記脚体を前後左右に揺動自在にすれば、鉄筋の上に脚体が位置する場合でも、該脚体を左右に移動させることによって型枠の上まで降下させることができ、コンクリートを確実にせき止めることができる。
【００１４】
前記支持体のガイド棒及び支持フレームを鉄棒で形成し、前記ガイド棒及び前記支持フレームを溶接で連結すれば、前記支持フレームの鉄棒の切断長及び連結する前記ガイド棒の数を調整することによって、現場に対応した長さの支持体を容易に形成することができる。
【発明を実施するための最良の形態】
【００１５】
コンクリート用せき止め治具Ａは、くし歯状であって、コンクリートをせき止めるための縦長の脚体１を支持体２に沿って所定間隔で並設して形成され、支持体２から下方に突出する脚体１が図外のスラブ型枠内のコンクリートをせき止めるようになっている。
【００１６】
支持体２は、水平方向に並設される各々上下方向に延びる複数の縦長のガイド棒３を備え、これらのガイド棒３は支持フレーム４に固定されている。なお、ガイド棒３は丸形鉄筋で形成され、支持フレーム４は丸形鉄筋を適宜長さに切断して折り曲げることによって形成され、ガイド棒３と支持フレーム４とは溶接で連結されている。
【００１７】
脚体１は円柱状に形成され、脚体１の下端には、先端に行くほど径が小さくなった鉄筋回避部５が形成されている。脚体１の上部の外側には被ガイド体６が設けられ、該被ガイド体６には縦貫通孔７が形成されている。そして、被ガイド体６の縦貫通孔７を支持体２のガイド棒３に挿通して脚体１を上下に移動自在としている。なお、ガイド棒３と支持フレーム４とを連結する前に脚体１の被ガイド体６をガイド棒３に挿通するようにする。
【００１８】
図２のように縦貫通孔７は下方に向けて拡開した漏斗状に形成され、そして、ガイド棒３と被ガイド体６の縦貫通孔７との間に隙間Ｑが形成されることによって、脚体１は同図の矢印のように前後左右に揺動して後述のように鉄筋Ｒを回避できるようになっている。なお、脚体１及び被ガイド体６は合成樹脂成形品であるがその材質は特に限定されるものではなく、例えば脚体１を鉄棒で形成すれば、被ガイド体６は鉄製パイプで形成してこれを脚体１に溶接するようにする。
【００１９】
図３は、せき止め治具Ａを用いた施工例を示している。スラブコンクリートの打継時、打継予定部に配設された係止体（図示省略）や鉄筋Ｒにせき止め治具Ａの支持体２を針金などで連結して該せき止め治具Ａを固定し、脚体１を鉄筋Ｒを避けてスラブ型枠上に降下させることによってコンクリート６をせき止める。
【００２０】
この場合、同図のようにコンクリート埋設物Ｂに対して脚体１１は上動してこれを回避することができ、また、鉄筋Ｒの配筋間隔の変更等によって鉄筋Ｒの上に脚体１が位置する場合には、図３の二点鎖線で示すように脚体１を鉄筋Ｒを避けて型枠Ｆ上まで降下させることができ、更に、上側鉄筋Ｒが下側鉄筋Ｒに対して水平方向に僅かにずれる場合などにも、脚体１を鉄筋Ｒを避けて型枠Ｆの上まで降下させることができ、この結果、未硬化コンクリートの流出を確実に防止することができる。なお、養生期間経過後はせき止め治具Ａをコンクリートから引き抜いて再利用される。
【００２１】
また、被ガイド体６は常に支持体２内に位置するので、脚体１にコンクリートが付着しても、被ガイド体６にコンクリートが付着するのを回避でき、この結果、コンクリートが被ガイド体６の縦貫通孔７に付着するなどして脚体１の上下動が妨げることがなくなる。
【００２２】
また、支持体２のガイド棒３及び支持フレーム４は鉄筋（鉄棒）で形成されているので、支持フレーム４の鉄筋の切断長を現場に対応した長さに調整し、この支持フレーム４に適宜数のガイド棒３を溶接することによって、現場に対応した長さ（例えば、３０ｃｍ〜３ｍ）の支持体２を形成することができる。
【００２３】
図４は被ガイド体６ａの縦貫通孔７ａを扁平横長形に形成して、脚体１を左右方向にのみ揺動可能にしたコンクリート用せき止め治具を示している。
【図面の簡単な説明】
【００２４】
【図１】（ａ）は本発明の実施形態に係るコンクリート用せき止め治具を示す斜視図、（ｂ）は同せき止め治具の側面図である。
【図２】（ａ）は同せき止め治具の支持体の斜視図、（ｂ）は同せき止め治具の被ガイド体付き脚体の斜視図、（ｃ）は脚体の上部の拡大斜視図、（ｄ）は脚体の上部の拡大断面図である。
【図３】同せき止め治具を用いた施工例を示す斜視図である。
【図４】本発明の他の実施形態に係るコンクリート用せき止め治具の部分斜視図である。
【符号の説明】
【００２５】
Ａ    コンクリート用せき止め治具
Ｂ    コンクリート埋設物
Ｒ    鉄筋
１    脚体
２    支持体
３    ガイド棒
４    支持フレーム
６    被ガイド体
７    縦貫通孔
【図１】
2005048464.tif 000003
【図２】
2005048464.tif 000004
【図３】
2005048464.tif 000005
【図４】
2005048464.tif 000006